(57)【要約】【課題】頂面に付された文字や記号が見え易くなり、しかも側面に識別番号のような識別表示を容易に付すことができる標示杭を提供する。【解決手段】頭部１０が露出するように地盤Ｇに埋め込まれる標示杭Ａであって、側面に凹所２を有し、この凹所２に識別表示３１を有する表示板３が嵌め込まれている。【選択図】  図１
2004325406.tif 000002
【特許請求の範囲】
【請求項１】
頭部が露出するように地盤に埋め込まれる標示杭であって、側面に凹所を有し、この凹所に識別表示を有する表示板が嵌め込まれている標示杭。
【請求項２】
請求項１において、前記凹所の周縁部の少なくとも一部分に、凹所の外側方に凹入する係止溝が形成されている標示杭。
【請求項３】
請求項１または２において、前記凹所の底面に、前記頭部の軸心とほぼ直交する方向に延びる横溝リブまたは横溝が形成されている標示杭。
【請求項４】
請求項３において、前記凹所の底面に、前記頭部の軸心にほぼ沿った方向に延びる縦リブまたは縦溝が形成されている標示杭。
【請求項５】
頭部が露出するように地盤に埋め込まれる標示杭を製造する方法であって、前記頭部の側面に凹所を形成し、この凹所に表示板素材を塗り付け、表示板素材が固化する前に表示板素材に識別表示を刻印して表示板を形成する標示杭の製造方法。
【発明の詳細な説明】
【０００１】
【発明の属する技術分野】
本発明は、地籍調査を行うような場合に使用される土地や道路の位置、または、その位置のケーブル、水道管、ガス管などの埋設状況などの地理的情報を表示するために用いられる標示杭に関するものである。
【０００２】
【従来の技術】
従来、地籍調査などを行う場合には、位置表示部材として例えば測量杭が使用されている。この測量杭は、地盤に打ち込まれるもので、細長い棒状とされた杭本体の頭部の頂面に識別番号や記号などの識別表示が記入された表示板を金属製のピンで固定したものが使用されている（例えば、特許文献１）。
【０００３】
【特許文献１】
実用新案登録第２５２７６０７号公報（  第３欄第２２〜２６行目、第１図）
【０００４】
【発明が解決しようとする課題】
しかし、前記頂面には、その標示杭の種別や所属または打ち込まれている土地の名称などが一見して分かるように文字、記号が刻設されている場合が多く、その場合に、これらの文字や記号が頂面に取り付けた表示板で覆われて見えにくくなる。
【０００５】
そこで、本発明の目的は、頂面に付された文字や記号を見え易くして、識別番号のような識別表示を確実に付すことができる標示杭とその製造方法を提供することにある。
【０００６】
【課題を解決するための手段】
前記目的を達成するために、本発明の標示杭は、頭部が露出するように地盤に埋め込まれるものであって、側面に凹所を有し、この凹所に識別表示を有する表示板が嵌め込まれている。
【０００７】
この標示杭によれば、表示板が標示杭の側面に設けた凹所に取り付けられているので、頂面に付された標示杭の種別や所属または打ち込まれている土地の名称のような文字、記号が見え易くなる。また、表示板は、例えば、ゲル状の表示板素材を凹所に塗り付けて、乾燥・固化させることにより、容易に作成できる。
【０００８】
本発明の好ましい実施形態では、前記凹所の周縁部の少なくとも一部分に、凹所の外側方に凹入する係止溝が形成されている。この構成によれば、前記凹所に表示板を嵌め込んで取り付けるとき、この表示板の一部が前記係止溝に係合されて、表示板が標示杭に確実かつ強固に取り付けられる。
【０００９】
本発明の好ましい実施形態では、前記凹所の底面に、前記頭部の軸心とほぼ直交する方向に延びる横リブまたは横溝が形成されている。この構成によれば、前記横リブや横溝により前記凹所に取り付けられる表示板のずり落ちが防止されて、表示板の標示杭に対する取り付け強度が高くなる。
【００１０】
本発明の好ましい実施形態では、前記横リブまたは横溝に加えて、さらに前記凹所の底面に、前記頭部の軸心にほぼ沿った方向に延びる横縦リブまたは縦溝が形成されている。この構成によれば、凹所の底面に対する表示板の食い付きがよくなり、表示板の標示杭に対する取り付け強度がさらに高くなる。
【００１１】
本発明の製造方法は、頭部が露出するように地盤に埋め込まれる標示杭を製造するものであって、前記頭部の側面に凹所を形成し、この凹所に表示板素材を塗り付け、表示板素材が固化する前に表示板素材に識別表示を刻印して表示板を形成する。
【００１２】
この製造方法を採用することにより、標示杭の埋設現場においても表示板の取り付けを行って、目的とする標示杭を容易に得ることができる。
【００１３】
【発明の実施の形態】
以下、本発明の標示杭を図面に基づいて説明する。
図１は、本発明の一実施形態にかかる標示杭の全体を示す斜視図である。この標示杭Ａは、細長い例えば断面十字形とされた杭本体１の先端側に先鋭部１１が、他方側には地盤Ｇへの埋め込み時に地表に露出する四角柱形状の頭部１０がそれぞれ形成され、この頭部１０には金属や樹脂製のキャップ１２が取り付けられている。前記杭本体１およびキャップ１２の横断面形状は、三角形、四角形以上の多角形、円形などの種々の形状とすることができる。
【００１４】
前記キャップ１２の頂面１２ａには、その標示杭Ａの種別や所属または打ち込まれている土地の名称のような文字，記号１２ｂが刻設されており、この実施形態の場合、「地籍調査」の文字が刻設されている。
【００１５】
前記杭本体１は、樹脂製またはコンクリート製であり、通常、樹脂製のものが好適に使用される。この樹脂製の杭本体１の材料としては、例えばポリエチレン、ポリプロピレン、ポリエステル、スチロール、ポリアミド、ポリスルホン酸などの熱可塑性樹脂で成形された樹脂製品の廃棄物から得られるリサイクル樹脂が用いられる。また，前記キャップ１２の材料としては、ポリエチレン、ポリプロピレン、フッ素、ポリカーボネート、ポリスルホン、ポリエステルなどの熱可塑性樹脂や、フェノール、ポリイミドなどの熱硬化性樹脂が用いられる。
【００１６】
前記頭部１０の側面には、上下方向に長い矩形状の凹所２が形成されて、コンクリート製の表示板３が嵌め込まれている。この表示板３には、標示杭Ａの識別番号や記号などの識別表示３１が付されており、この実施形態の場合、標示杭Ａの識別番号を示す数字「１２５」が刻印されている。
【００１７】
図２は、図１のＸ―Ｘ線に沿った横断面図で、表示板３を取り外した状態を示している。前記凹所２には、これに嵌め込まれる表示板３が凹所２から外方に抜け出るのを防止するため、凹所２の周縁部の左右両側部分に、凹所２の外側方Ｓに凹入する横断面コ字状の係止溝２１を形成している。係止溝２１の一側面２１ａは凹所２の底面２０に連続している。この係止溝２１は、前記凹所２の周縁部の上下部分に形成してもよいし、周縁部の全周に形成してもよい。
【００１８】
図３は前記凹所２の他の例を示す横断面図である。同図のように、前記係止溝２１は、頭部１０の外表面から凹所２の底面２０に向かって凹所２の斜め外側方に傾斜した横断面蟻溝状に形成してもよい。
【００１９】
図４は前記凹所２の底面部分を拡大して示す正面図である。図５は図４のＹ―Ｙ線に沿った側断面図を示している。これらの図のように、前記凹所２の底面２０には、表示板３の凹所２の底面２０に対する食い付きを良くして（アンカー効果）前記表示板３の凹所２からのずり落ちを防止するために、前記頭部１０の軸心Ｃとほぼ直交する方向に延びる複数の横リブ２２と、前記軸心Ｃにほぼ沿った方向に延びる縦リブ２３とが形成されている。特に横リブ２２は、表示板３の下方への移動の大きな抵抗となる。これら横，縦リブ２２，２３に代えて、前記凹所２の底面２０に横溝または縦溝を形成することもできる。
【００２０】
次に、以上の標示杭Ａの製造方法について説明する。
図６に示す側断面図において、先ず、埋設現場または工場で、前記表示板３となるゲル状の表示板素材、例えば、モルタルなどのコンクリート素材４を、杭本体１の頭部１０に形成した凹所２の全体に頭部１０の外表面とほぼ面一となるように塗り付けて埋め込む。次に、前記コンクリート素材４が固化する前に、前記表示板３の識別表示３１となる凸部５１が形成されたスタンプ５を用い、このスタンプ５をコンクリート素材４に押し付けて、その凸部５１によりコンクリート素材４に刻印する。スタンプ５は、例えば、数字０〜９を表す凸部５１を持つ、１０種類のスタンプ片５０を用意しておき、複数のスタンプ片５０を選択してスタンプ台５２に嵌め込むことで作成する。この後、コンクリート素材４が固化することによって、識別表示３１が施された表示板３が前記頭部１０の凹所２に埋め込み状に取り付けられる。
【００２１】
以上のように、杭本体１の凹所２にコンクリート素材４を塗り付け、これが固化する前にスタンプ５の凸部５１を押し付けることにより、埋設現場においても前記凹所２に表示板３が埋め込まれた標示杭Ａが容易に得られる。また、前記凹所２の周縁部には、図２に示す外側方Ｓに向かって凹入する係止溝２１が形成され、この係止溝２１に凹所２に塗り付けられるコンクリート素材４の一部が充填されるので、前記凹所２に嵌め込まれたコンクリート製の表示板３は、その一部が係止溝２１に係合されることとなる。これにより、表示板３が凹所２に確実かつ強固に取り付けられる。さらに、前記凹所２の底面２０には複数の横リブ２２および縦リブ２３が形成されているので、これらリブ２２，２３によるアンカー効果によって表示板３のずり落ちが防止され、表示板３の標示杭Ａに対する取り付け強度が高くなる。
【００２２】
上記表示板３の素材としては、コンクリートに限られるものではなく、例えば、化学反応型接着剤のようなゲル状ないしチューインガム状の樹脂を、表示板素材として使用できる。このような素材として、サンコーテクノ（株）製の「埋め太郎（商品名）」がある。この素材は、エポキシとポリアミドの２種類の樹脂からなり、これら樹脂を混ぜてゲル状にして放置すると、乾燥・固化する。
【００２３】
【発明の効果】
以上のように、本発明の標示杭によれば、側面に形成された凹所に識別表示を有する表示板が嵌め込まれているので、頂面に付された文字や記号が見え易くなり、しかも標示杭の側面に識別表示を容易に付すことができる。
【図面の簡単な説明】
【図１】本発明の一実施形態にかかる標示杭の全体を示す斜視図である。
【図２】図１のＸ―Ｘ線に沿った横断面図である。
【図３】凹所に形成する係止溝の他の例を示す横断面図である。
【図４】凹所の底面部分を拡大して示す正面図である。
【図５】図４のＹ―Ｙ線に沿った側断面図である。
【図６】本発明にかかる標示杭の製造方法を説明する側断面図である。
【符号の説明】
１…杭本体、２…凹所、３…表示板、４…コンクリート素材（表示板素材）、１０…頭部、２１…係止溝、２２…横リブ，２３…縦リブ、３１…識別表示、Ａ…標示杭、Ｃ…軸心、Ｇ…地盤
【図１】
2004325406.tif 000003
【図２】
2004325406.tif 000004
【図３】
2004325406.tif 000005
【図４】
2004325406.tif 000006
【図５】
2004325406.tif 000007
【図６】
2004325406.tif 000008